(57)【特許請求の範囲】
【請求項１】
複数のコミュニケーション端末同士が通話管理サーバを通してコミュニケーションを行うコミュニケーションシステムにおいて、
複数のコミュニケーション端末、通話管理サーバ、及び、位置情報サーバが通信ネットワークに接続され、
位置情報サーバは、各コミュニケーション端末の位置情報及び情報漏洩リスク有無情報を記憶する端末位置情報記憶手段を有し、コミュニケーション端末の位置に応じて、前記端末位置情報記憶手段内の当該コミュニケーション端末における位置情報及び情報漏洩リスク有無情報を更新し、該更新した最新の位置情報及び情報漏洩リスク有無情報を当該コミュニケーション端末情報と共に通話管理サーバへ送信し、
通話管理サーバは、各コミュニケーション端末ごとに、コミュニケーションに参加可能なコミュニケーション端末のリスト（以下、宛先リスト）を記憶する宛先リスト記憶手段と、各コミュニケーション端末の少なくとも端末名、最新の位置情報及び情報漏洩リスク有無情報を記憶する端末状態記憶手段を有し、前記位置情報サーバから、位置情報及び情報漏洩リスク有無情報をコミュニケーション端末情報と共に受信すると、前記端末状態記憶手段における当該コミュニケーション端末の位置情報及び情報漏洩リスク有無情報を更新し、コミュニケーション通信元のコミュニケーション端末から宛先リスト要求があると、前記宛先リスト記憶手段及び前記端末状態記憶手段をもとに、コミュニケーションに参加可能な各コミュニケーション端末の少なくとも端末名、最新の位置情報及び情報漏洩リスク有無情報を含む宛先リストを前記通信元のコミュニケーション端末へ送信し、
前記通信元のコミュニケーション端末は、前記通話管理サーバから受信した前記宛先リストについて、情報漏洩リスク有無情報に応じて位置情報の表示方法を異にして表示する、
ことを特徴とするコミュニケーションシステム。
【請求項２】
請求項１記載のコミュニケーションシステムにおいて、
コミュニケーション端末は、ＧＰＳ衛星からのＧＰＳ情報を取得し、該ＧＰＳ情報を自コミュニケーション端末情報と共に位置情報サーバへ送信する機能を有し、
位置情報サーバは、地図データベースを有し、コミュニケーション端末から当該コミュニケーション端末情報及びＧＰＳ情報を受信すると、前記地図データベースを利用して、前記ＧＰＳ情報を住所情報のＧＰＳ位置情報に変換すると共に情報漏洩リスク有無情報を決定し、端末位置情報記憶手段内の前記受信したコミュニケーション端末情報に対応したコミュニケーション端末の位置情報及び情報漏洩リスク有無情報として、前記ＧＰＳ位置情報及び情報漏洩リスク有無情報を記憶すると共に、該ＧＰＳ位置情報及び情報漏洩リスク有無情報をコミュニケーション端末の最新の位置情報及び情報漏洩リスク有無情報として通話管理サーバへ送信する、
ことを特徴とするコミュニケーションシステム。
【請求項３】
請求項１記載のコミュニケーションシステムにおいて、
複数の無線ＬＡＮアクセスポイントが通信ネットワークに接続されており、
コミュニケーション端末は、近傍の無線ＬＡＮアクセスポイントの情報を取得し、該無線ＬＡＮアクセスポイント情報を自コミュニケーション端末情報と共に位置情報サーバへ送信する機能を有し、
位置情報サーバは、各無線ＬＡＮアクセスポイントの位置情報及び情報漏洩リスク有無情報を記憶した無線ＬＡＮアクセスポイント／位置対応記憶手段を有し、コミュニケーション端末から当該コミュニケーション端末情報及び無線ＬＡＮアクセスポイント情報を受信すると、前記無線ＬＡＮアクセスポイント／位置対応記憶手段から前記受信した無線ＬＡＮアクセスポイント情報に対応した無線ＬＡＮアクセスポイントの位置情報及び情報漏洩リスク有無情報を取得し、端末位置情報記憶手段内の前記受信したコミュニケーション端末情報に対応したコミュニケーション端末の位置情報及び情報漏洩リスク有無情報として、前記取得した無線ＬＡＮアクセスポイントの位置情報及び情報漏洩リスク有無情報を記憶すると共に、該無線ＬＡＮアクセスポイントの位置情報及び情報漏洩リスク有無情報をコミュニケーション端末の最新の位置情報及び情報漏洩リスク有無情報として通話管理サーバへ送信する、
ことを特徴とするコミュニケーションシステム。
【請求項４】
請求項１記載のコミュニケーションシステムにおいて、
複数のBluetooth端末が通信ネットワークに接続されており、
Bluetooth端末は、近傍のコミュニケーション端末の情報を取得し、該コミュニケーション端末情報を自Bluetooth端末情報と共に位置情報サーバへ送信する機能を有し、
位置情報サーバは、各Bluetooth端末の位置情報及び情報漏洩リスク有無情報を記憶したBluetooth端末／位置対応記憶手段を有し、Bluetooth端末から当該Bluetooth端末情報及びコミュニケーション端末情報を受信すると、前記Bluetooth端末／位置対応記憶手段から前記受信したBluetooth端末情報に対応したBluetooth端末の位置情報及び情報漏洩リスク有無情報を取得し、端末位置情報記憶手段内の前記受信したコミュニケーション端末情報に対応したコミュニケーション端末の位置情報及び情報漏洩リスク有無情報として、前記取得したBluetooth端末の位置情報及び情報漏洩リスク有無情報を記憶すると共に、該Bluetooth端末の位置情報及び情報漏洩リスク有無情報をコミュニケーション端末の最新の位置情報及び情報漏洩リスク有無情報として通話管理サーバへ送信する、
ことを特徴とするコミュニケーションシステム。
【請求項５】
請求項１記載のコミュニケーションシステムにおいて、
複数の無線ＬＡＮアクセスポイント及び複数のBluetooth端末が通信ネットワークに接続されており、
コミュニケーション端末は、ＧＰＳ衛星からＧＰＳ情報を取得し、該ＧＰＳ情報を自コミュニケーション端末情報と共に位置情報サーバへ送信する機能、及び、近傍の無線ＬＡＮアクセスポイントの情報を取得し、該無線ＬＡＮアクセスポイント情報を自コミュニケーション端末情報と共に位置情報サーバへ送信する機能を有し、
Bluetooth端末は、近傍のコミュニケーション端末の情報を取得し、該コミュニケーション端末情報を自Bluetooth端末情報と共に位置情報サーバへ送信する機能を有し、
位置情報サーバは、
地図データベース、各無線ＬＡＮアクセスポイントの位置情報及び情報漏洩リスク有無情報を記憶した無線ＬＡＮアクセスポイント／位置対応記憶手段、及び、各Bluetooth端末の位置情報及び情報漏洩リスク有無情報を記憶したBluetooth端末／位置対応記憶手段を有し、
コミュニケーション端末から当該コミュニケーション端末情報及びＧＰＳ情報を受信すると、前記地図データベースを利用して、前記ＧＰＳ情報を住所情報のＧＰＳ位置情報に変換すると共に情報漏洩リスク有無情報を決定し、端末位置情報記憶手段内の前記受信したコミュニケーション端末情報に対応したコミュニケーション端末の位置情報及び情報漏洩リスク有無情報として、前記ＧＰＳ位置情報及び情報漏洩リスク有無情報を記憶し、
コミュニケーション端末から当該コミュニケーション端末情報及び無線ＬＡＮアクセスポイント情報を受信すると、前記無線ＬＡＮアクセスポイント／位置対応記憶手段から前記受信した無線ＬＡＮアクセスポイント情報に対応した無線ＬＡＮアクセスポイントの位置情報及び情報漏洩リスク有無情報を取得し、端末位置情報記憶手段内の前記受信したコミュニケーション端末情報に対応したコミュニケーション端末の位置情報及び情報漏洩リスク有無情報として、前記取得した無線ＬＡＮアクセスポイントの位置情報及び情報漏洩リスク有無情報を記憶し、
Bluetooth端末から当該Bluetooth端末情報及びコミュニケーション端末情報を受信すると、前記Bluetooth端末／位置対応記憶手段から受信したBluetooth端末情報に対応したBluetooth端末の位置情報及び情報漏洩リスク有無情報を取得し、端末位置情報記憶手段内の前記受信したコミュニケーション端末情報に対応したコミュニケーション端末の位置情報及び情報漏洩リスク有無情報として、前記取得したBluetooth端末の位置情報及び情報漏洩リスク有無情報を記憶し、
前記端末位置情報記憶手段内に同一のコミュニケーション端末について、ＧＰＳ位置情報と情報漏洩リスク有無情報、無線ＬＡＮアクセスポイントの位置情報と情報漏洩リスク有無情報、あるいは、Bluetooth端末の位置情報と情報漏洩リスク有無情報の少なくとも２以上のものが記憶される場合、そのいずれか一つの位置情報と情報漏洩リスク有無情報を選択して、当該コミュニケーション端末の最新の位置情報及び情報漏洩リスク有無情報として通話管理サーバへ送信する、
ことを特徴とするコミュニケーションシステム。
【請求項６】
請求項５記載のコミュニケーションシステムにおいて、
位置情報サーバは、端末位置情報記憶手段内に同一のコミュニケーション端末について、ＧＰＳ位置情報と情報漏洩リスク有無情報、無線ＬＡＮアクセスポイントの位置情報と情報漏洩リスク有無情報、あるいは、Bluetooth端末の位置情報と情報漏洩リスク有無情報の少なくとも２以上のものが記憶される場合、Bluetooth端末の位置情報＞無線ＬＡＮアクセスポイントの位置情報＞ＧＰＳ位置情報の優先順位で、そのいずれか一つの位置情報と情報漏洩リスク有無情報を選択する、
ことを特徴とするコミュニケーションシステム。
【請求項７】
請求項１乃至６のいずれか１項に記載のコミュニケーションシステムにおける位置情報サーバ。
【請求項８】
請求項１乃至６のいずれか１項に記載のコミュニケーションシステムにおける通話管理サーバ。
【請求項９】
請求項１乃至６のいずれか１項に記載のコミュニケーションシステムにおけるコミュニケーション端末。
【発明の詳細な説明】
【技術分野】
【０００１】
本発明は、通信ネットワーク利用のコミュニケーションシステム、その通話管理サーバ、位置情報サーバ及びコミュニケーション端末に関する。
【背景技術】
【０００２】
近年、テレビ会話システムやウェブ会議システムなどで代表されるように、インターネット等の通信ネットワーク利用のコミュニケーションシステムが普及している。さらに、コミュニケーション端末としてテレビ電話が可能な携帯通話端末が普及し、これを用いたテレビ会議等が可能となり、利用者同士がいつでもどこでも、通信ネットワークを介して会議等を行うことが可能となってきた。一方、これに伴い、テレビ会議等を行う利用者の周囲の環境によっては、セキュリティが保たれない問題が生じてきている。
【０００３】
これに対し、従来技術としては、送信側が自分の環境状況に応じて、相手と音声のみで会議したり、相手に画像のみ送ったり、背景画像を消して送ったりする技術が知られている（例えば、特許文献１参照）。
【０００４】
しかしながら、このような従来技術では、相手の周囲の環境が考慮されていないため、セキュリティ上、例えば公衆の場所にいる相手とはテレビ会議等を実施したくない場合でも、テレビ会議等を始めてしまい、後から相手の状況（公衆の場所にいる等）に気がつくという問題があった。
【発明の概要】
【発明が解決しようとする課題】
【０００５】
本発明は、通信ネットワーク利用のコミュニケーションシステムにおいて、通信元の利用者が通信先の利用者のコミュニケーション端末の置かれた状況によって、該通信先の利用者とコミュニケーションを開始するか否かを判断できることを可能とすることにある。
【課題を解決するための手段】
【０００６】
本発明は、複数のコミュニケーション端末同士が通話管理サーバを通してコミュニケーションを行うコミュニケーションシステムにおいて、
複数のコミュニケーション端末、通話管理サーバ、及び、位置情報サーバが通信ネットワークに接続され、
位置情報サーバは、各コミュニケーション端末の位置情報及び情報漏洩リスク有無情報を記憶する端末位置情報記憶手段を有し、コミュニケーション端末の位置に応じて、前記端末位置情報記憶手段内の当該コミュニケーション端末における位置情報及び情報漏洩リスク有無情報を更新し、該更新した最新の位置情報及び情報漏洩リスク有無情報を当該コミュニケーション端末情報と共に通話管理サーバへ送信し、
通話管理サーバは、各コミュニケーション端末ごとに、コミュニケーションに参加可能なコミュニケーション端末のリスト（以下、宛先リスト）を記憶する宛先リスト記憶手段と、各コミュニケーション端末の少なくとも端末名、最新の位置情報及び情報漏洩リスク有無情報を記憶する端末状態記憶手段を有し、前記位置情報サーバから、位置情報及び情報漏洩リスク有無情報をコミュニケーション端末情報と共に受信すると、前記端末状態記憶手段における当該コミュニケーション端末の位置情報及び情報漏洩リスク有無情報を更新し、コミュニケーション通信元のコミュニケーション端末から宛先リスト要求があると、前記宛先リスト記憶手段及び前記端末状態記憶手段をもとに、コミュニケーションに参加可能な各コミュニケーション端末の少なくとも端末名、最新の位置情報及び情報漏洩リスク有無情報を含む宛先リストを前記通信元のコミュニケーション端末へ送信し、
前記通信元のコミュニケーション端末は、前記通話管理サーバから受信した前記宛先リストについて、情報漏洩リスク有無情報に応じて位置情報の表示方法を異にして表示する、
ことを主要な特徴とする。
【発明の効果】
【０００７】
本発明によれば、通信元の利用者が通信先の利用者とコミュニケーションを開始する前に、該通信先の利用者の周囲環境を把握し、コミュニケーションを開始するか否かを判断することが可能になる。
【図面の簡単な説明】
【０００８】
【図１】本発明の一実施形態に係るコミュニケーションシステム（テレビ会議システム）の全体的構成図である。
【図２】Bluetooth端末と無線ＬＡＮアクセスポイントの設置例を示す図である。
【図３】本実施形態に係る通話端末のハードウェア構成図である。
【図４】本実施形態に係る通話端末の機能ブロック図である。
【図５】稼動状態アイコン管理テーブルの構成例を示す図である。
【図６】本実施形態に係る位置情報サーバのハードウェア構成図である。
【図７】本実施形態に係る位置情報サーバの機能ブロック図である。
【図８】Bluetooth端末情報／位置対応テーブルの構成例を示す図である。
【図９】無線ＬＡＮアクセスポイント／位置対応テーブルの構成例を示す図である。
【図１０】通話端末位置情報テーブルの構成例を示す図である。
【図１１】本実施形態に係る通話管理サーバのハードウェア構成図である。
【図１２】本実施形態に係る通話管理サーバの機能ブロック図である。
【図１３】通話端末認証管理テーブルの構成例を示す図である。
【図１４】通話端末管理テーブルの構成例を示す図である。
【図１５】宛先リスト管理テーブルの構成例を示す図である。
【図１６】通話端末の最新の位置情報（Bluetooth端末位置情報）が通話管理サーバに反映されるまでの動作シーケンス図である。
【図１７】通話端末の最新の位置情報（ＧＰＳ位置情報）が通話管理サーバに反映されるまでの動作シーケンス図である。
【図１８】通話端末の最新の位置情報（無線ＬＡＮアクセスポイント位置情報）が通話管理サーバに反映されるまでの動作シーケンス図である。
【図１９】通話端末の位置情報送信処理フローの概念図である。
【図２０】通話端末のBluetooth処理フロー図である。
【図２１】通話端末のＧＰＳ処理フロー図である。
【図２２】通話端末の無線ＬＡＮアクセスポイント処理フロー図である。
【図２３】Bluetooth端末の処理フロー図である。
【図２４】位置情報サーバの処理フロー図である。
【図２５】通話管理サーバの位置情報更新処理フロー図である。
【図２６】通話端末、通話管理サーバのテレビ会議開始時の動作シーケンス図である。
【図２７】通信元通話端末上の宛先リスト表示例を示す図である。
【図２８】通信元携帯通話端末上の宛先リスト表示例を示す図である。
【図２９】通信先携帯通話端末上のエリアマップ表示例を示す図である。
【発明を実施するための形態】
【０００９】
以下、本発明の一実施形態について図面を参照して説明する。なお、以下ではコミュニケーションシステムとしてテレビ会議システムを例にするが、勿論、本発明はテレビ会議システムに限定されるものではない。
【００１０】
図１は、本発明の一実施形態に係るコミュニケーションシステムとしてのテレビ会議システムの全体的構成図である。本テレビ会議システムは、多数のコミュニケーション端末としての通話端末１０、多数のコミュニケーション端末としての携帯通話端末１１（便宜上、図１では１つのみ示している）、多数のBluetooth（登録商標）端末２０、多数の無線ＬＡＮアクセスポイント３０、多数の公衆無線基地局４０、位置情報サーバ５０、通話管理サーバ６０、及び、これら各装置を接続する通信ネットワークとしてのインターネット７０によって構築されている。なお、８０はＧＰＳ衛星である。
【００１１】
通話端末１０や携帯通話端末１１は、インターネット７０を介して他の通話端末や携帯通話端末とテレビ会議を実施することが可能な端末である。ここで、通話端末１０は室内で使うタイプの端末であり、直接、有線ＬＡＮを介してインターネット７０に接続可能である。なお、この通話端末１０は持ち運びタイプとすることでもよく（例えば、リコーユニファイドコミニュケーションシステムＰ３０００）、この場合には無線ＬＡＮアクセスポイント３０などを介してインターネット７０に接続することが可能である。携帯通話端末１１は、屋内外で自由に使う携帯型の端末であり、無線ＬＡＮアクセスポイント３０あるいは公衆無線基地局４０を介してインターネット７０に接続することが可能である。これら通話端末１０や携帯通話端末１１は、ＧＰＳ衛星８０からＧＰＳ衛星波を受信することで位置情報を取得することが可能である。
【００１２】
Bluetooth端末２０は、Bluetooth検索機能を用いて周期的に周囲の通話端末１０あるいは携帯通話端末１１を検索する端末である。該Bluetooth端末２０は、通話端末１０や携帯通話端末１１が例えば周囲約１０ｍ以内に存在する場合、Bluetooth通信により検索することが可能である。検索の結果、見つかった通話端末１０あるいは携帯通話端末１１の情報は、該Bluetooth端末２０によりインターネット７０を介して位置情報サーバ５０へ送られる。このBluetooth端末２０は、例えばオフィス内の会議室や居室等に一定の間隔毎に設置されている。
【００１３】
無線ＬＡＮアクセスポイント３０は、通話端末１０や携帯通話端末１１をインターネット７０に接続するために設置される。例えば、屋外に設置されている公衆無線ＬＡＮアクセスポイントや、屋内に設置されている企業内等の無線ＬＡＮアクセスポイント等がある。公衆無線基地局４０は、携帯通話端末１１をインターネット７０に接続するために設置される。例えば、ＷｉＭＡＸ無線基局や携帯電話用の基地局などである。
【００１４】
図２に、Bluetooth端末２０と無線ＬＡＮアクセスポイント３０の設置例を示す。これは企業（事業所）内に設置される例を示したもので、２０−１〜２０−９はBluetooth端末、３０−１〜３０−４は無線ＬＡＮアクセスポイントである。
【００１５】
図１に戻り、位置情報サーバ５０は、各通話端末１０及び各携帯通話端末１１の位置情報を管理する。この位置情報サーバ５０が管理する位置情報には、当該通話端末の情報漏洩リスクの有無（リスクが高い／低い）を示す情報（情報漏洩リスク有無情報）が含まれている。この位置情報は、当該通話端末の位置に対応してリアルタイムに更新される。位置情報サーバ５０は、各通話端末１０及び各携帯通話端末１１の最新（現在）の位置情報を情報漏洩リスク有無情報とともにインターネット７０を介して通話管理サーバ６０へ送る。
【００１６】
通話管理サーバ６０は、各通話端末１０及び各携帯通話端末１１の端末名、通話状況（稼動状態）、最新の位置情報及び情報漏洩リスク情報、宛先リスト等を管理している。
【００１７】
テレビ会議を実施する際、通信元の通話端末に対して、通話管理サーバ６０から通信先の通話端末や携帯通話端末の宛先リストとして、各通信先通話端末の端末名、稼動状態、位置情報、情報漏洩リスク情報等が送られてくる。通信元の通話端末は、通話管理サーバ６０から送られた各通信先通話端末の端末名、稼動状態、位置情報等を表示するが、位置情報は情報漏洩リスク有無情報に応じて、位置情報を網掛けや色分けして表示する。これにより、通信元通話端末の利用者は、通信相手の通話端末や携帯通話端末がセキュリティを保たれる環境にあるか否か知ることが可能になる。
【００１８】
次に、本実施形態のテレビ会議システムを構築する主な装置の構成について説明する。
【００１９】
図３は、一実施形態に係る通話端末１０のハードウェア構成図である。ここで、通話端末１０は持ち運び可能なタイプとする（例えば、リコーユニファイドコミニュケーションシステムＰ３０００）。なお、携帯通話端末１１は、該通話端末１０と大きさ及び形状のみ異なり、内部の機能構成は基本的に同じである。
【００２０】
図３において、通話端末１０は、該通話端末全体の動作制御及び処理を実行するＣＰＵ１０１、該ＣＰＵ１０１の駆動に用いられるＩＰＬ（Initial  Program  Loader）等のプログラムを記憶したＲＯＭ１０２、ＣＰＵ１０１の作業用メモリとして使用されるＲＡＭ１０３、ＣＰＵ１０１で実行されるプログラム、及び、各種データやテーブル等を記憶するフラッシュメモリ１０４、該フラッシュメモリ１０４に対するプログラムや各種データ等の読み書きを制御するＳＳＤ（Solid  State  Drive）１０５、外部記録メディア１０６に対するデータ等の読み書きを制御するメディアドライブ１０７、種々の操作ボタン１０８、電源スイッチ１０９、各種インタフェース（Ｉ／Ｆ）回路１１１〜１１７、及び、これら各部を接続する内部バス１１０を備えている。なお、フラッシュメモリ１０４及びＳＳＤ１０５は、ハードディスク（ＨＤＤ）及びそのドライバに置き替わってもよい。
【００２１】
さらに、通話端末１０は、カメラ１２０、マイク１３０及びスピーカ１４０を内蔵し、また、ディスプレイ（表示装置）１５０が外付けで設けられている。なお、ディスプレイ１５０は、該通話端末１０と一体に構成されてもよい。ちなみに、携帯通話端末１１は、このような構成となる。カメラ１２０は撮像素子Ｉ／Ｆ１１５に接続され、マイク１３０及びスピーカ１４０は音声入出力Ｉ／Ｆ１１６に接続される。ディスプレイ１５０はディスプレイＩ／Ｆ１１７に接続される。
【００２２】
図４に、本実施形態に係る通話端末１０の機能ブロック図を示す。通話端末１０は、ＧＰＳ情報送受信部１００１、Bluetooth情報送受信部１００２、無線ＬＡＮアクセスポイント情報送受信部１００３、ネットワーク送受信部１００４、操作入力受付部１００５、ログイン要求部１００６、撮像部１００７、音声入力部１００８、音声出力部１００９、表示用宛先リスト作成部１０１０、表示制御部１０１１、及び書込み／読出し処理部１０１２を有している。これら各部は、図３に示した各構成要素、及びフラッシュメモリ１０４からＲＡＭ１０３上に展開されたプログラムがＣＰＵ１０１で実行されることによって実現される機能又は手段である。
【００２３】
また、通話端末１０は、図３に示したＲＡＭ１０３によって構築される揮発性記憶部１０２０、及び、図３に示したフラッシュメモリ１０４によって構築される不揮発性記憶部１０３０を有している。ここで、不揮発性記憶部１０３０には、稼動状態アイコン管理テーブル１０３１が保持されている。
【００２４】
図５に、稼動状態アイコン管理テーブル１０３２の一例を示す。稼動状態アイコン管理テーブル１０３２では、宛先通話端末の候補となる通話端末１０や携帯通話端末１１の稼動状態を示す稼動状態情報毎に、ディスプレイ１５０に表示される稼動状態アイコンの画像データが関連付けられて管理される。図５では、上から下にかけて、宛先通話端末の候補の稼動状態がオンライン（通話可能）である場合、オンライン（通話中・故障）である場合、オンライン（通話中・正常）である場合、及び、オフラインである場合が示されている。
【００２５】
「オンライン（通話可能）」の稼動状態は、宛先通話端末の候補が、オンラインの状態で、かつ通話を開始していない状態である。「オンライン（通話中・故障）」の稼動状態は、宛先通話端末の候補が他の通話端末と通話中（会議中）の状態であるが、マイクやスピーカ等が故障した場合のように、会話に関する機能が故障したことによって、会話の抑制が生じた状態である。この場合、利用者が該宛先通話端末とのテレビ会議に参加しても、故障により十分な会議を行うことができない。「オンライン（通話中・正常）」の稼動状態は、宛先通話端末の候補が他の通話端末と通話中の状態であるが、マイクの入力ミュートやスピーカの出力ミュート等の場合のように、会話に関する機能を実行したことによって、会話の抑制が生じた状態であり、機能としては正常な動きをしている状態である。この場合、利用者が該宛先通話端末とのテレビ会議に参加しても、この宛先通話端末でマイクの入力ミュートやスピーカの出力ミュート等の機能が解除されれば、十分な会話を行うことができる。「オフライン」の稼動状態は、宛先通話端末の候補が、オフラインの状態である。
【００２６】
次に、図３及び図４を用いて通話端末１０の各機能構成及び動作について説明する。
【００２７】
ＧＰＳ情報送受信部１００１は、ＧＰＳＩ／Ｆ１１１によって実現され、ＣＰＵ１０１の制御下で、周期的にＧＰＳ衛星８０から位置情報（ＧＰＳ情報）を取得する。取得したＧＰＳ情報は、該通話端末１０の情報と共に、ネットワーク送受信部１００４から位置情報サーバ５０へ送信される。
【００２８】
Bluetooth情報送受信部１００２は、BluetoothＩ／Ｆ１１２によって実現され、ＣＰＵ１０１の制御下で、Bluetooth端末２０とBluetooth通信する。先に述べたように、Bluetooth端末２０は、通話端末１０が例えば周囲約１０ｍ以内に存在する場合、Bluetooth通信により通話端末１０を探索することが可能である。見つかった通話端末１０の情報は、Bluetooth端末２０の情報と共に、当該Bluetooth端末２０から位置情報サーバ５０に送られる。
【００２９】
無線ＬＡＮアクセスポイント情報送受信部１００３は、無線ＬＡＮＩ／Ｆ１１３によって実現され、ＣＰＵ１０１の制御下で、無線ＬＡＮアクセスポイント３０と通信して、無線ＬＡＮアクセスポイント３０の情報を取得する。取得した無線ＬＡＮアクセスポイント３０の情報は、該通話端末１０の情報と共に、ネットワーク送受信部１００４から位置情報サーバ５０へ送信される。
【００３０】
ネットワーク送受信部１００４は、ネットワークＩ／Ｆ１１４によって実現され、ＣＰＵ１０１の制御下で、直接あるいは無線ＬＡＮアクセスポイント２０を経由し、インターネット（通信ネットワーク）７０を介して、位置情報サーバ５０、通話管理サーバ６０、あるいは他の通話端末１０や携帯通話端末１１と、各種情報の送受信を行う。
【００３１】
通話端末１０が他の通話端末１０や携帯通話端末１１とテレビ会議を実施する際、ネットワーク送受信部１００４は、通話管理サーバ６０より、通信先通話端末の宛先リスト情報を受信する。この宛先リスト情報は、各通信先通話端末の端末名、稼動状態情報、位置情報、情報漏洩リスク情報、ＩＰアドレス等からなる。
【００３２】
操作入力受付部１００５は、操作ボタン１０８及び電源スイッチ１０９によって実現され、利用者による各種操作入力を受け付ける。例えば、利用者が、電源スイッチ１０９をオンにすると、操作入力受付部１２が電源オンを受け付けて、電源をオンにする。
【００３３】
ログイン要求部１００６は、ＣＰＵ１０１の処理によって実現され、電源オンの受け付け等を契機として、ネットワーク送受信部１００４からインターネット７０を介して通話管理サーバ６０に、ログインを要求する旨を示すログイン要求情報及び要求元通話端末のＩＰアドレス等を送信する。なお、利用者が電源スイッチ１０９をオンの状態からオフの状態にすると、ネットワーク送受信部１００４が通話管理サーバ６０へ電源をオフする旨の状態情報を送信した後に、操作入力受付部１００５が電源を完全にオフにする。これにより、通話管理サーバ６０側では、通話端末１０が電源オンから電源オフになったことを認識することができる。
【００３４】
撮像部１００７は、カメラ１２０及び撮像素子Ｉ／Ｆ１１５によって実現され、ＣＰＵ１０１の制御下で被写体を撮像して、この撮像して得た画像データを出力する。
【００３５】
音声入力部１００８は、マイク１３０及び音声入出力Ｉ／Ｆ１１６によって実現され、ＣＰＵ１０１の制御下で、マイク１３０によって利用者の音声が音声信号に変換された後、この音声信号に係る音声データを入力する。音声出力部１００９は、スピーカ１４０及び音声入出力Ｉ／Ｆ１１６によって実現され、ＣＰＵ１０１の制御下で、自分あるいは相手の音声データに係る音声信号をスピーカ１４０に出力し、該スピーカ１４０から音声を出力させる。
【００３６】
表示用宛先リスト作成部１０１０は、ＣＰＵ１０１の処理によって実現され、通話端末１０が他の通話端末１０や携帯通話端末１１とテレビ会議を実施する際、通話管理サーバ６０から受信した宛先リスト情報に基づいて、ディスプレイ１５０に表示する宛先リストの一覧を作成する。この時、各通信先通話端末の稼動状況は、図５に示した稼動状態アイコン管理テーブル１０３２を参照して、対応する稼動状態アイコンを割り当てるようにして、各通信先通話端末の稼動状況がアイコンで一目で分かるようにする。また、各通信先通話端末の位置情報の表示方法は、情報漏洩リスク有無情報に基づいて、例えば、情報漏洩リストなしの場合には通常表示や青色を割り当て、情報漏洩リストありの場合は網掛け表示や赤色を割り当てるようにして、同様に、各通信先通話端末の周囲環境が、セキュリティ上、問題があるかないか一目で分かるようにする。
【００３７】
表示制御部１０１１は、ディスプレイＩ／Ｆ１１７によって実現され、ＣＰＵ１０１の制御下で、ディスプレイ１５０へ種々の情報を表示する制御を行う。具体的には、通話端末１０が他の通話端末１０や携帯通話端末１１とテレビ会議を実施する際、表示制御部１０１１では、宛先表示リスト作成部１０１０で作成された宛先リストの一覧をディスプレス１５０に表示する制御を行う。この時、各通話端末毎に、その稼動状況が対応する稼動状態アイコンで表示され、また、情報漏洩リスクの有無状況が網掛けや色分けで表示される。
【００３８】
書込み／読出し処理部１０１２は、ＣＰＵ１０１の処理及びＳＳＤ１０５によって実現され、揮発性記憶部１０２０や不揮発性記憶部１０３０に対する各種情報の書込み／読出し処理を行う。
【００３９】
図６は、一実施形態に係る位置情報サーバ５０のハードウェア構成図である。位置情報サーバ５０は、該位置情報サーバ全体の動作制御及び必要な処理を実行するＣＰＵ５０１、該ＣＰＵ５０１の駆動に用いられるＩＰＬ等のプログラムを記憶したＲＯＭ５０２、ＣＰＵ５０１の作業用メモリとして使用されるＲＡＭ５０３、ＣＰＵ５０１で実行されるプログラム、及び、各種データやテーブル等を記憶するハードディスク（ＨＤＤ）５０４、外部記録メディア５０５に対するデータ等の読み書きを制御するメディアドライブ５０６、各種情報を表示するディスプレイ２０７、インターネット（通信ネットワーク）７０を利用してデータ伝送を行うためのネットワークＩ／Ｆ５１１、文字、数値、各種指示などの入力のための複数のキーを備えたキーボード５１２、ディスプレイ２０７上の各種指示の選択や実行、処理対象の選択、カーソルの移動などを行うマウス５１３、着脱可能な記録媒体としてのＣＤ−ＲＯＭ５１４などに対するデータ等の読み書きを制御するＣＤ−ＲＯＭドライバ５１５、及び、これら各部を接続する内部バス５１０を備えている。
【００４０】
なお、ＣＰＵ５０１で実行するプログラムは、外部記録メディア５０５やＣＤ−ＲＯＭ５１４等のコンピュータで読取り可能な記録媒体に記録して流通可能とすることでもよい。また、該プログラムは、ＨＤＤ５０４ではなく、ＲＯＭ５０２に記録することでもよい。
【００４１】
図７に、本実施形態に係る位置情報サーバ５０の機能ブロック図を示す。位置情報サーバ５０は、ネットワーク送受信部５００１、位置情報処理部５００２、及び書込み／読出し処理部５００３を有している。これら各部は、図６に示した各構成要素、及びＨＤＤ５０４からＲＡＭ５０３上に展開されたプログラムがＣＰＵ５０１で実行されることによって実現される機能又は手段である。
【００４２】
また、位置情報サーバ５０は、図６に示したＲＡＭ５０３によって構築される揮発性記憶部５０２０、及び、図６に示したＨＤＤ５０４や記憶記録メディア５０５等によって構築される不揮発性記憶部５０３０を有している。ここで、不揮発性記憶部５０３０（例えば、ＨＤＤ５０４）には、Bluetooth端末／位置対応テーブル５０３２、無線ＬＡＮアクセスポイント／位置対応テーブル５０３４、通話端末位置情報テーブル５０３６、及び、地図情報データベース５０３８が保持されている。
【００４３】
図８乃至図１０に、Bluetooth端末／位置対応テーブル（Bluetooth端末／位置対応記憶手段）５０３２、無線ＬＡＮアクセスポイント／位置対応テーブル（無線ＬＡＮアクセスポイント／位置対応記憶手段）５０３４、通話端末位置情報テーブル（端末位置情報記憶手段）５０３６の構成図を示す。なお、地図情報データベース５０３８は既存のものでよく、その具体的構成等については省略する。
【００４４】
Bluetooth端末／位置対応テーブル５０３２では、図８に示すように、各Bluetooth端末情報（Bluetooth端末ＩＤ）毎に、当該Bluetooth端末の位置情報、及び、情報漏洩リスクの有無を示す情報（情報漏洩リスク有無情報）を管理している。無線ＬＡＮアクセスポイント／位置対応テーブル５０３４では、図９に示すように、各無線ＬＡＮアクセスポイント情報（アクセスポイントＩＤ）毎に、当該無線ＬＡＮアクセスポイントの位置情報、及び、同様に情報漏洩リスクの有無を示す情報（情報漏洩リスク有無情報）を管理している。
【００４５】
また、通話端末位置情報テーブル５０３６では、図１０に示すように、各通話端末１０及び携帯通話端末１１の通話端末情報（通話端末ＩＤ）毎に、当該通話端末の現在（最新）の位置情報を管理している。通話端末の位置情報は、自端末位置情報、Bluetooth端末位置情報、無線ＬＡＮアクセスポイント位置情報及びＧＰＳ位置情報の一つあるいは複数で構成され、且つ、各位置情報には、情報漏洩リスク有無情報が付加されている。
【００４６】
ここで、自端末位置情報は、当該通話端末自体の位置情報を示している。また、Bluetooth端末位置情報は、当該通話端末近くに存在するBluetooth端末の位置情報を示し、無線ＬＡＮアクセスポイント位置情報は、同様に当該通話端末近くに存在する無線ＬＡＮアクセスポイントの位置情報を示している。ＧＰＳ位置情報は、ＧＰＳ衛星８０から取得した当該通話端末位置の位置情報を示している。すなわち、通話端末が利用者の居室等に固定的に設置されている場合には、位置情報は自端末位置情報とすればよいが、通話端末が持ち運びタイプあるいは更に小型の携帯タイプの場合には、位置が定まらないため、当該通話端末の近くに存在するBluetooth端末や無線ＬＡＮアクセスポイントの位置情報、あるいは、ＧＰＳ衛星から取得されたＧＰＳ位置情報を、当該通話端末の位置情報とする。
【００４７】
図１０において、「１０００１」の通話端末は、利用者の居室等に固定的に設置されている通話端末の一例である。また、「１０００２」〜「１０００５」の通話端末は、持ち運びタイプあるいは更に小型の携帯タイプの通話端末の一例である。ここで、「１０００２」と「１０００３」の通話端末は、近くに無線ＬＡＮアクセスポイントが存在し、「１０００４」の通話端末は、近くにBluetooth端末と無線ＬＡＮアクセスポイントの両方が存在する例である。「１０００５」の通話端末は、近くにBluetooth端末も無線ＬＡＮアクセスポイントも存在しない例である。
【００４８】
なお、図１０中の通話端末位置情報テーブル５０３６中のBluetooth位置情報、無線ＬＡＮアクセスポイント位置情報及びＧＰＳ位置情報は、当該通話端末の位置に応じて更新されるが、これについては後述する。
【００４９】
図７に戻り、位置情報サーバ５０の各処理機能５００１〜５００３の動作について説明する。
【００５０】
ネットワーク送受信部５００１は、図６のネットワークＩ／Ｆ５１１によって実現され、ＣＰＵ５０１の制御下で、インターネット（通信ネットワーク）７０を介して、通話端末１０や携帯通話端末１１、Bluetooth端末２０、通信管理サーバ８０と、種々の情報の送受信を行う。具体的には、ネットワーク送受信部５００１では、通話端末１０や携帯通話端末１１から当該通話端末情報と共に、自端末位置情報あるいはＧＰＳ衛星８０から取得されたＧＰＳ情報あるいは当該通話端末近傍の無線ＬＡＮアクセスポイントの情報を受信し、また、Bluetooth端末２０から当該Bluetooth端末情報と共に、近傍の通話端末１０や携帯通話端末１１の情報（通話端末情報）を受信する。また、ネットワーク送受信部５００１では、通話管理サーバ５０に対して、各通話端末１０や携帯通話端末１１の更新された最新の位置情報（Bluetooth端末位置情報、無線ＬＡＮアクセスポイント位置情報あるいはＧＰＳ位置情報）を送信する。この通信管理サーバ５０に送信する位置情報には、情報漏洩リスク有無情報が含まれている。
【００５１】
位置情報処理部５００２は、図６のＣＰＵ５０１の処理によって実現され、書込み／読出し処理部５００３を介し、Bluetooth端末／位置対応テーブル５０３２、無線ＬＡＮアクセスポイント／位置対応テーブル５０３４及び地図情報データベース５０３８を参照して、通話端末位置情報テーブル５０３６の位置情報を更新処理する。具体的には、通話端末１０や携帯通話端末１１から通話端末情報と自端末位置情報が受信された場合には、通話端末位置情報テーブル５０３６における当該通話端末情報のエントリに自端末位置情報をそのまま登録し、情報漏洩リスク有無情報として情報漏洩リスク無しを設定する。通話端末１０や携帯通話端末１１から通話端末情報と無線ＬＡＮアクセスポイント情報が受信された場合には、無線ＬＡＮアクセスポイント／位置対応テーブル５０３４から該無線ＬＡＮアクセスポイント情報に対応する位置情報と情報漏洩リスク有無情報を取得して、通話端末位置情報テーブル５０３６における当該端末情報のエントリの無線ＬＡＮアクセスポイント位置情報及び情報漏洩リスク有無情報を更新する。通話端末１０や携帯通話端末１１から通話端末情報とＧＰＳ情報が受信された場合は、地図情報データベース５０３８を参照してＧＰＳ情報を住所情報（ＧＰＳ位置情報）へ変換し、通話端末位置情報テーブル５０３６における当該通話端末情報のエントリのＧＰＳ位置情報及び情報漏洩リスク有無情報を更新する。また、Bluetooth端末２０からBluetooth端末情報と通話端末情報が受信された場合は、Bluetooth端末／位置対応テーブル５０３２から該Bluetooth端末情報に対応する位置情報と情報漏洩リスク有無情報を取得して、通話端末位置情報テーブル５０３６における当該通話端末情報のエントリのBluetooth端末位置情報及び情報漏洩リスク有無情報を更新する。
【００５２】
さらに、位置情報処理部５００２は、通話端末位置情報テーブル５０３６における更新した最新の位置情報及び情報漏洩リスク有無情報を、当該通話端末情報と共に、ネットワーク送受信部５００１へ送出する処理を行う。この時、通話端末位置情報テーブル５０３６内に、当該通話端末情報について複数の位置情報（例えば、Bluetooth端末位置情報とＧＰＳ位置情報）が存在する場合には、位置情報処理部５００２では、精度が高い位置情報を選択してネットワーク送受信部５００１へ送出する。これの具体的処理については後述する。
【００５３】
書込み／読出し処理部１０１２は、図６のＣＰＵ５０１の処理及びメディアドライブ５０５等によって実現され、ネットワーク送受信部５００１及び位置情報処理部５００２のために、揮発性記憶部５０２０や不揮発性記憶部５０３０に対する各種情報の書込み／読出し処理を行う。
【００５４】
図１１は、一実施形態に係る通話管理サーバ６０のハードウェア構成図である。該通話管理サーバ６０のハードウェア構成は、図６に示した位置情報サーバ５０のハードウェア構成と基本的に同じである。異なるのは、ＣＰＵ６０１で実行されるプログラムのみであるため、図１１の説明は省略する。
【００５５】
図１２に、本実施形態に係る通話管理サーバ６０の機能ブロック図を示す。通話管理サーバ６０は、ネットワーク送受信部６００１、稼動状態更新処理部６００２、位置情報更新処理部６００３、通信端末認証部６００４、宛先リスト作成部６００５及び書込み／読出し処理部６００６を有している。これら各部は、図１１に示した各構成要素、及びＨＤＤ６０４からＲＡＭ５０３上に展開されたプログラムがＣＰＵ６０１で実行されることによって実現される機能又は手段である。
【００５６】
また、通話管理サーバ６０は、図１１に示したＲＡＭ６０３によって構築される揮発性記憶部６０２０、及び、図１１に示したＨＤＤ６０４や記録メディア６０５等によって構築される不揮発性記憶部６０３０を有している。ここで、不揮発性記憶部６０３０には、通話端末認証管理テーブル６０３２、通話端末管理テーブル６０３４及び宛先リスト管理テーブル６０３６が保持されている。
【００５７】
図１３は、通話端末認証管理テーブル６０３２の構成例を示した図である。図１３に示すように、通話端末認証管理テーブル６０３２では、通話管理サーバ６０で管理される各通話端末１０及び携帯通話端末１１の通話端末情報（通話端末ＩＤ）に対して、それぞれパスワードが関連付けられて管理される。
【００５８】
図１４は、通話端末管理テーブル（端末状態記憶手段）６０３４の構成例を示した図である。図１４に示すように、通話端末管理テーブル６０３４では、各通話端末１０及び携帯通話端末１１の通話端末情報（通話端末ＩＤ）毎に、通話端末名、現在の稼動状態、現在（最新）の位置情報と情報漏洩リスク有無情報、及び、当該通話端末のＩＰアドレス等が管理される。
【００５９】
図１５は、宛先リスト管理テーブル（宛先リスト記憶手段）６０３６の構成例を示した図である。図１５に示すように、宛先リスト管理テーブル６０３６では、テレビ会議における通話開始を要求する要求元の通話端末１０あるいは携帯通話端末１１の通話端末情報に対して、宛先（通信先）通話端末の候補として登録されている通話端末１０や携帯通話端末１１の通話端末情報が関連付けられて管理される。図１５において、例えば、「１０００１」の通話端末からテレビ会議の通話開始を要求することができる宛先通話端末の候補は、「１０００２」，「１０００３」，「１０００４」，・・・の通話端末であることを示している。この宛先通話端末の候補は、随時、任意の通話端末１０あるいは携帯通話端末１１からの要求により、新規登録、追加、あるいは削除される。
【００６０】
図１２に戻り、通話管理サーバ６０の各処理機能６００１〜６００５の動作について説明する。
【００６１】
ネットワーク送受信部６００１は、図１１のネットワークＩ／Ｆ６１１によって実現され、ＣＰＵ６０１の制御下で、インターネット（通信ネットワーク）７０を介して、通話端末１０や携帯通話端末１１、位置情報サーバ５０と、種々の情報の送受信を行う。具体的には、ネットワーク送受信部６００１では、位置情報サーバ５０から各通話端末１０や携帯通話端末１１の最新の位置情報及び情報漏洩リスク有無情報を受信する。また、ネットワーク送受信部６００１では、テレビ会議の通話開始の要求元通話端末からログイン要求情報や宛先リスト要求を受信し、該要求元通話端末に対して、ログイン許可や宛先通話端末の候補リスト（宛先リスト）を送信する。この宛先通話端末の候補リストは、各宛先通話端末の端末名、稼動状態、位置情報、情報漏洩リスク有無情報、ＩＰアドレスなどからなる。また、ネットワーク送受信部６００１では、随時、通話端末１０や携帯通話端末１１０から当該通話端末の稼動状態を示す情報（稼動状態情報）を受信する。
【００６２】
稼動状態更新処理部６００２は、図１１のＣＰＵ６０１の処理によって実現され、通話端末１０や携帯通話端末１１から当該通話端末の稼動状態情報が受信された場合、書込み／読出し処理部６００６を介して、不揮発性記憶部６０３０内の通話端末管理テーブル６０３４における当該通話端末情報のエントリの稼動状態情報を更新処理する。
【００６３】
位置情報更新処理部６００３は、同じく図１１のＣＰＵ６０１の処理によって実現され、位置情報サーバ５０から通話端末１０や携帯通話端末の最新の位置情報及び情報漏洩リスク有無情報が受信された場合、書込み／読出し処理部６００６を介して、不揮発性記憶部６０３０内の通話端末管理テーブル６０３４における当該通話端末情報のエントリの位置情報及び情報漏洩リスク有無情報を更新処理する。
【００６４】
通話端末認証部６００４は、同じく図１１のＣＰＵ６０１の処理によって実現され、テレビ会議の通話開始の要求元通話端末（任意の通話端末１０や携帯通話端末１１）からログイン要求情報が受信された場合、書込み／読出し処理部６００６を介して、不揮発性記憶部６０３０内の通話端末認証管理テーブル６０３２を参照して、当該要求元通話端末の認証処理を行う。
【００６５】
宛先リスト作成部６００５は、同じく図１１のＣＰＵ６０１の処理によって実現され、認証のとられた要求元通話端末から宛先リスト要求情報が受信された場合、書込み／読出し処理部６００６を介して、通話端末管理テーブル６０３４及び宛先リスト管理テーブル６０３６を参照して、宛先通話端末の候補リストを作成する。具体的には、宛先リスト作成部６００４では、宛先リスト管理テーブル６０３６から、要求元通話端末に対して、宛先通話端末の候補として登録されている通話端末１０や携帯通話端末１４１のすべての通話端末情報を抽出する。更に、宛先リスト作成部６００５では、抽出した通話端末情報を検索キーとして通話端末管理テーブル６０３４を検索して、各宛先通話端末の端末名、稼動状態情報、位置情報、情報漏洩リスク有無情報及びＩＰアドレス等を取得し、宛先通話端末の候補リストを作成する。この宛先通話端末の候補リスト（宛先リスト）がネットワーク送受信部６００１より要求元通話端末へ送信される。
【００６６】
書込み／読出し処理部６００６は、図１１のＣＰＵ６０１の処理及びメディアドライブ６０６等によって実現され、ネットワーク送受信部６００１、稼動状態更新処理部６００２、位置情報更新処理部６００３、通話端末認証部６００４及び宛先リスト作成部６００５のために、揮発性記憶部６０２０や不揮発性記憶部６０３０に対する各種情報の書込み／読出し処理を行う。
【００６７】
なお、通話管理サーバ６０では、通話端末１０や携帯通話端末１１からの要求により、宛先リスト管理テーブル６０３６の宛先通話端末情報の新規登録、追加あるいは削除を行う処理機能も有しているが、図１２では省略してある。
【００６８】
次に、本実施形態に係るコミュニケーションシステムとしてのテレビ会議システムの全体的な動作の流れについて詳しく説明する。
【００６９】
まず、通話端末１０や携帯通話端末１１の最新の位置情報を通話管理サーバ６０の通話端末管理テーブル６０３４（図１４）に反映させるまでの動作について説明する。以下では、便宜上、携帯通話端末１１の位置情報を対象とするが、持ち運び可能なタイプの通話端末１０の位置情報の場合も基本的に同様である。
【００７０】
なお、通話端末１０が利用者の居室等に固定的に設置されているタイプの場合には、当該通信端末１０の位置情報（自端末位置情報）を一度、位置情報サーバ５０内の通話端末位置情報テーブル５０３６（図１０）及び通話管理サーバ６０内の通話端末管理テーブル６０３４（図１４）に設定すれば、その後は利用者等からの変更要求等がない限り不変であるため、説明は省略する。
【００７１】
携帯通話端末１１の最新の位置情報は、Bluetooth端末２０、無線ＬＡＮアクセスポイント３０あるいはＧＰＳ衛星８０を利用して取得することが可能である。すなわち、携帯通話端末１１の近くにBluetooth端末２０や無線ＬＡＮアクセスポイント３０が存在する場合には、これらBluetooth端末２０や無線ＬＡＮアクセスポイント３０の位置情報を携帯通話端末１１の位置情報とすることができる。また、ＧＰＳ衛星８０のＧＰＳ位置情報を利用すれば、携帯通話端末１１が何処にいても、携帯通話端末１１の位置情報を取得することができる。
【００７２】
図１６は、Bluetooth端末２０により携帯通話端末１１の最新の位置情報を取得し、通話管理サーバ６０の通話端末管理テーブル６０３４（図１４）に反映させるまでの動作概要を示したシーケンス図である。
【００７３】
Bluetooth端末２０は、常時、周囲の携帯通話端末１１の探索（Inquiry）を行っている（Ｓ１１）。一方、携帯通話端末１１は、電源がＯＮして稼動状態にある場合（Ｓ１２）、Bluetooth端末２０の電波が届く範囲内であれば、Bluetooth端末２０からの探索に応答する（Ｓ１３，Ｓ１４）。この探索に応答して、携帯通話端末１１は自分の通話端末情報（端末ＩＤ）をBluetooth端末２０へ通知する。Bluetooth端末２０は、探索された携帯通話端末１１の通話端末情報を自分の端末情報（Bluetooth端末情報）に付加して位置情報サーバ５０へ送信する（Ｓ１５）。
【００７４】
位置情報サーバ５０は、Bluetooth端末２０からBluetooth端末情報及び通話端末情報を受信したなら、まず、受信したBluetooth端末情報を検索キーとしてBluetooth端末／位置対応テーブル５０３２（図８）を検索して、該Bluetooth端末２０の位置情報及び情報漏洩リスク有無情報を取得する（Ｓ１６）。次に、位置情報サーバ５０は、受信した通話端末情報を検索キーとして通話端末位置情報テーブル５０３６（図１０）を検索して、該通話端末位置情報テーブル５０３６内の、当該端末情報におけるBluetooth端末位置情報及び情報漏洩リスク有無情報を更新する（Ｓ１７）。そして、位置情報サーバ５０は、この更新したBluetooth端末位置情報及び情報漏洩リスク有無情報を通話端末情報に付加して通話管理サーバ６０へ送信する（Ｓ１８）。
【００７５】
通話管理サーバ６０は、位置情報サーバ５０から通話端末情報、及び、Bluetooth端末位置情報と情報漏洩リスク有無情報を受信したなら、該受信した通話端末情報を検索キーとして通話端末管理テーブル６０３４（図１４）を検索し、該通話端末管理テーブル６０３４内の当該通話端末情報における位置情報及び情報漏洩リスク有無情報を、受信したBluetooth端末位置情報及び情報漏洩リスク有無情報で更新する（Ｓ１９）。
【００７６】
図１７は、ＧＰＳ衛星８０を利用して携帯通話端末１１の最新の位置情報を取得し、通話管理サーバ６０の通話端末管理テーブル６０３４（図１４）に反映させるまでの動作概要を示したシーケンス図である。
【００７７】
携帯通話端末１１は、電源がＯＮして稼動状態における場合（Ｓ２１）、何時でも何処でもＧＰＳ衛星８０からＧＰＳ情報を受信することが可能となる。携帯通話端末１１は、ＧＰＳ衛星８０からＧＰＳ情報を受信したなら（Ｓ２２）、該ＧＰＳ情報を自分の通話端末情報に付加して位置情報サーバ５０へ送信する（Ｓ２３）。
【００７８】
位置情報サーバ５０は、携帯通話端末１１から通話端末情報及びＧＰＳ情報を受信したなら、まず、地図情報データベース５０３８を用いて、受信したＧＰＳ情報を住所情報のＧＰＳ位置情報に変換する（Ｓ２４）。また、その住所に基づいて情報漏洩リスク有無情報を決定する。なお、ＧＰＳ位置情報については、情報漏洩リスク有無情報は常にリスク有りとすることでもよい。次に、位置情報サーバ５０は、受信した通話端末情報を検索キーとして通話端末位置情報テーブル５０３６（図１０）を検索して、該通話端末位置情報テーブル５０３６内の、当該通話端末情報におけるＧＰＳ位置情報及び情報漏洩リスク有無情報を更新する（Ｓ２５）。そして、位置情報サーバ５０は、この更新したＧＰＳ位置情報及び情報漏洩リスク有無情報を通話端末情報に付加して通話管理サーバ６０へ送信する（Ｓ２６）。
【００７９】
通話管理サーバ６０は、位置情報サーバ５０から通話端末情報、及び、ＧＰＳ位置情報と情報漏洩リスク有無情報を受信したなら、該受信した通話端末情報を検索キーとして通話端末管理テーブル６０３４（図１４）を検索し、該通話端末管理テーブル６０３４内の当該通話端末情報における位置情報及び情報漏洩リスク有無情報を、受信したＧＰＳ位置情報及び情報漏洩リスク有無情報で更新する（Ｓ２７）。
【００８０】
図１８は、無線ＬＡＮアクセスポイント３０を利用して携帯通話端末１１の最新の位置情報を取得し、通話管理サーバ６０の通話端末管理テーブル６０３４（図１４）に反映させるまでの動作概要を示したシーケンス図である。
【００８１】
携帯通話端末１１は、電源がＯＮして稼動状態における場合（Ｓ３１）、無線ＬＡＮアクセスポイント３０の電波の届く範囲内であれば、該無線ＬＡＮアクセスポイント３０を介してインターネット７０と接続することが可能である。携帯通話端末１１は、近くの無線ＬＡＮアクセスポイントをスキャンし（Ｓ３２）、無線ＬＡＮアクセスポイント３０と無線接続されたなら、該無線ＬＡＮアクセスポイント３０から無線ＬＡＮアクセスポイント情報（アクセスポイントＩＤ）を受け取る（Ｓ３３）。携帯通話端末１１は、無線ＬＡＮアクセスポイント３０から受け取った無線ＬＡＮアクセスポイント情報を自分の通話端末情報に付加し、該無線ＬＡＮアクセスポイント３０を介して位置情報サーバ５０へ送信する（Ｓ３４）。
【００８２】
位置情報サーバ５０は、携帯通話端末１１から通話端末情報及び無線ＬＡＮアクセスポイント情報を受信したなら、まず、受信した無線ＬＡＮアクセスポイント情報を検索キーとして無線ＬＡＮアクセスポイント／位置対応テーブル５０３４（図８）を検索して、無線ＬＡＮアクセスポイント情報及び情報漏洩リスク有無情報を取得する（Ｓ３５）。次に、位置情報サーバ５０は、受信した通話端末情報を検索キーとして通話端末位置情報テーブル５０３６（図１０）を検索して、該通話端末位置情報テーブル５０３６内の当該通話端末情報における無線ＬＡＮアクセスポイント位置情報及び情報漏洩リスク有無情報を更新する（Ｓ３６）。そして、位置情報サーバ５０は、この更新した無線ＬＡＮアクセスポイント位置情報及び情報漏洩リスク有無情報を通話端末情報に付加して通話管理サーバ６０へ送信する（Ｓ３７）。
【００８３】
通話管理サーバ６０は、位置情報サーバ５０から通話端末情報、及び、無線ＬＡＮアクセスポイント位置情報と情報漏洩リスク有無情報を受信したなら、該受信した通話端末情報を検索キーとして通話端末管理テーブル６０３４（図１４）を検索し、該通話端末管理テーブル６０３４内の当該通話端末情報における位置情報及び情報漏洩リスク有無情報を、受信した無線ＬＡＮアクセスポイント位置情報及び情報漏洩リスク有無情報で更新する（Ｓ３８）。
【００８４】
図１９は、図１６乃至図１８の動作シーケンスに関係する携帯通話端末での一連の処理フローを示した図である。携帯通話端末１１は、まず、Bluetooth処理を開始し（Ｓ１０１）、Bluetooth処理を実行する（Ｓ１１０）。次に、携帯通話端末１１は、ＧＰＳ処理を開始し（Ｓ１０２）、ＧＰＳ処理を実行する（Ｓ１２０）。最後に、携帯通話端末１１は、無線ＬＡＮアクセスポイント処理を開始し（Ｓ１０３）、無線ＬＡＮアクセスポイント処理を実行する（Ｓ１３０）。以下、これら処理を繰り返す。なお、図１９の処理フローは一例であり、処理はどれから開始してもよい。
【００８５】
図２０は、携帯通話端末１１におけるBluetooth処理フローを示した図である。携帯通話端末１１は、電源ＯＮすることで、Bluetooth標準規格におけるInquiry応答が可能な状態となる（Ｓ１１１）。この状態になれば、携帯通話端末１１は、Bluetooth端末２０の電波が届く範囲内にあれば、Bluetooth端末２０から探索可能となる。この時、携帯通話端末１１のBluetooth情報送受信部１００２（図４）は、Bluetooth端末２０からInquiry要求がくれば（Ｓ１１２）、Inquiry応答する（Ｓ１１３）。このInquiry応答で、携帯通話端末１１のBluetooth情報送受信部１００２から自通話端末情報（端末ＩＤ）、その他の情報がBluetooth端末２０へ通知される。なお、Bluetooth端末２０の処理フローは後述する。
【００８６】
図２１は、携帯通話端末１１におけるＧＰＳ処理フローを示した図である。携帯通話端末１１は、稼動状態にある場合、何時でも何処でもＧＰＳ衛星８０からＧＰＳ情報を受信することが可能となる。携帯通話端末１１のＧＰＳ情報受信部１００１（図４）は、ＧＰＳ衛星８０からのＧＰＳ用衛星電波を探索し、ＧＰＳ情報を取得する（Ｓ１２１）。ＧＰＳ情報が取得できたならば、携帯通話端末１１のネットワーク送受信部１００４（図４）は、インターネット７０を介して、自通話端末情報とＧＰＳ情報を位置情報サーバ５０へ送信する（Ｓ１２２）。以下、携帯通話端末１１では、任意の間隔で（Ｓ１２３）、Ｓ１２１及びＳ１２２を繰り返すことになる。
【００８７】
図２２は、携帯通話端末１１における無線ＬＡＮアクセスポイント処理フローを示した図である。携帯通話端末１１の無線ＬＡＮアクセスポイント情報送受信部１００３（図４）は、近くに無線ＬＡＮアクセスポイント３０があるか探索し（Ｓ１３１）、無線ＬＡＮアクセスポイント３０が見つかれば、該無線ＬＡＮアクセスポイント３０の情報（無線ＬＡＮアクセスポイント情報）を取得する（Ｓ１３２）。携帯通話端末１１のネットワーク送受信部１００４（図３）は、該無線ＬＡＮアクセスポイント３０及びインターネット７０を介して、自通話端末情報と無線ＬＡＮアクセスポイント情報を位置情報サーバ５０へ送信する。以下、携帯通話端末１１では、任意の間隔で、Ｓ１３１乃至Ｓ１３４を繰り返すことになる。
【００８８】
次に、Bluetooth端末２０の処理について説明する。図２３は、Bluetooth端末２０の処理フローを示した図である。
【００８９】
Bluetooth端末２０は、Bluetooth標準規格にて周囲の通話端末の探索（Inquiry）を開始する（Ｓ２０１）。探索の結果、通話端末（ここでは携帯通話端末１１）が見つかり、携帯通話端末１１からInquiry応答があると（Ｓ２０２）、Bluetooth端末２０は、自Bluetooth端末情報と携帯通話端末１１から通知された通話端末情報を位置情報サーバ５０へ送信する（Ｓ２０３）。その後、Bluetooth端末２０は、一旦、周囲の通話端末の探索を終了し（Ｓ２０４）、任意の期間経過すると（Ｓ２０５）、再び周囲の通話端末の探索を開始する。すなわち、Bluetooth端末２０では、一定時間ごとに、周囲の通話端末の探索を行い、見つかった通話端末の情報を自Bluetooth端末情報に付加して位置情報サーバ５０へ送信する。
【００９０】
次に、位置情報サーバ５０の処理について説明する。図２４は、図１６乃至図１８（動作シーケンスに関係する位置情報サーバ５０での処理フローを示した図である。
【００９１】
位置情報サーバ５０では、常時、通話端末１０や携帯通話端末１１（ここでは、携帯通話端末）あるいはBluetooth端末２０から情報を受信するか監視している（Ｓ３０１〜Ｓ３０３）、なお、Ｓ３０１乃至Ｓ３０３の処理は、どれから開始してもよい。
【００９２】
いま、Bluetooth端末２０から通話端末情報（Bluetooth端末情報＋通話端末情報）を受信したならば（Ｓ３０１でＹＥＳ）、位置情報サーバ５０は、Bluetooth端末位置情報更新処理を実施する（Ｓ３１１）。具体的には、位置情報サーバ５０の位置情報処理部５００２は、書込み／読出し処理部５００３を介して、Bluetooth端末／位置対応テーブル５０３２（図８）からBluetooth端末情報に対応する位置情報（Bluetooth端末位置情報）及び情報漏洩リスク有無情報を取得し（図１６のＳ１６）、次に、通話端末位置情報テーブル５０３６（図１０）内の、当該通話端末情報におけるBluetooth端末位置情報及び情報漏洩リスク有無情報を更新する（図１６のＳ１７）。そして、この更新したBluetooth端末位置情報及び情報漏洩リスク有無情報を通話端末情報に付加し、ネットワーク送受信部５００１を介して、通話管理サーバ６０へ送信する（Ｓ３１４；図１６のＳ１８）。
【００９３】
また、携帯通話端末１１からＧＰＳ情報（通話端末情報＋ＧＰＳ情報）を受信したならば（Ｓ３０２でＹＥＳ）、位置情報サーバ５０は、ＧＰＳ位置情報更新処理を実施する（Ｓ３１２）。具体的には、位置情報サーバ５０の位置情報処理部５００２は、書込み／読み出し処理部５００３を介して、まず、地図情報データベース５０３８を用いて、ＧＰＳ情報を住所情報のＧＰＳ位置情報に変換し、また、情報漏洩リスク有無情報を決定し（図１７のＳ２４）、次に、通話端末位置情報テーブル５０３６（図１０）内の、当該通話端末情報におけるＧＰＳ位置情報及び情報漏洩リスク有無情報を更新する（図１７のＳ２５）。そして、この更新したＧＰＳ位置情報及び情報漏洩リスク有無情報を通話端末情報に付加し、ネットワーク送受信部５００１を介して通話管理サーバ６０へ送信する（Ｓ３１４；図１７のＳ２６）。
【００９４】
また、携帯通話端末１１から無線ＬＡＮアクセスポイント情報（通話端末情報＋無線ＬＡＮアクセスポイント情報）を受信したならば（Ｓ３０３でＹＥＳ）、位置情報サーバ５０は、無線ＬＡＮアクセスポイント位置情報更新処理を実施する（Ｓ３１３）。具体的には、位置情報サーバ５０の位置情報処理部５００３は、書込み／読み出し処理部５００３を介して、まず、無線ＬＡＮアクセスポイント／位置対応テーブル５０３４（図９）から無線ＬＡＮアクセスポイント情報に対応する位置情報（無線ＬＡＮアクセスポイント位置情報）及び情報漏洩リスク有無情報を取得し（図１８のＳ３５）、次に、通話端末位置情報テーブル５０３６（図１０）内の、当該通話端末情報における無線ＬＡＮアクセスポイント位置情報及び情報漏洩リスク有無情報を更新する（図１８のＳ３６）。そして、この更新した無線ＬＡＮアクセスポイント位置情報及び情報漏洩リスク有無情報を通話端末情報に付加し、ネットワーク送受信部５００１を介して通話管理サーバ６０へ送信する（Ｓ３１４；図１８のＳ３７）。
【００９５】
なお、携帯通話端末１１の位置によっては、一つの携帯通話端末１１につきBluetooth端末位置情報と無線ＬＡＮアクセスポイント位置情報、更にはＧＰＳ位置情報が取得されることが考えられる。このような場合、位置情報サーバ５０の位置情報処理部５００２では、Ｓ３１４において、Bluetooth端末位置情報、無線ＬＡＮアクセスポイント位置情報、ＧＰＳ位置情報のうち、いずれか一つの位置情報を選択して、ネットワーク送受信部５００１を介して通話管理サーバ６０へ送信するようにする。以下、その選択方法の一例について説明する。
【００９６】
Bluetooth端末位置情報、無線ＬＡＮアクセスポイント位置情報、ＧＰＳ位置情報について、位置情報の精度が高い順に並べると、一般に、
Bluetooth端末位置情報＞無線ＬＡＮアクセスポイント位置情報＞ＧＰＳ位置情報
のようになる。
【００９７】
ここで、ある携帯通話端末１１について、その現在の位置情報として、Bluetooth端末位置情報が取得できれば、それよりも精度の低い、無線ＬＡＮアクセスポイント位置情報やＧＰＳ位置情報は不要である。そこで、位置情報サーバ５０の位置情報処理部５００２では、Bluetooth端末位置情報と無線ＬＡＮアクセスポイント位置情報、更にはＧＰＳ位置情報が取得（更新）された場合は、Bluetooth端末位置情報とその情報漏洩アクセス有無情報を選択し、ネットワーク送受信部５００１を介して通話管理サーバ６０へ送信する。同様の理由で、Bluetooth端末位置情報が取得されず、無線ＬＡＮアクセスポイント位置情報とＧＰＳ位置情報が取得された場合には、無線ＬＡＮアクセスポイント位置情報とその情報漏洩リスク有無情報を送信管理サーバ６０へ送信する。
【００９８】
図２５は、図１６乃至図１８の動作シーケンスに関係する通話管理サーバ６０での位置情報更新処理フローを示した図である。通話管理サーバ６０では、常時、位置情報サーバ５０から位置情報等を受信するか監視している（Ｓ４０１）。これは、後述の通話端末１０や携帯通話端末１１からのログイン要求等の受信監視とは独立に行われる。位置情報サーバ５０から位置情報等を受信すると（Ｓ４０１でＹＥＳ）、通話管理サーバ６０は、通話端末管理テーブル６０３４（図１４）内の位置情報等を更新する（Ｓ４０２）。具体的には、通話管理サーバ６０の位置情報更新処理部６００３は、位置情報サーバ５０から通話端末情報と共にBluetooth端末位置情報及び情報漏洩リスク有無情報を受信した場合には、通話端末管理テーブル６０３４内の当該通話端末情報における位置情報及び情報漏洩リスク有無情報を、受信したBluetooth端末位置情報及び情報漏洩リスク有無情報で更新する（図１６のＳ１９）。また、位置情報サーバ５０から通話端末情報と共にＧＰＳ位置情報及び情報漏洩リスク有無情報を受信した場合には、同様に、通話端末管理テーブル６０３４内の当該通話端末情報における位置情報及び情報漏洩リスク有無情報を、受信したＧＰＳ位置情報及び情報漏洩リスク有無情報で更新する（図１７のＳ２７）。また、位置情報サーバ５０から通話端末情報と共に無線ＬＡＮアクセスポイント位置情報及び情報漏洩リスク有無情報を受信した場合には、同様に、通話端末管理テーブル６０３４内の当該通話端末情報における位置情報及び情報漏洩リスク有無情報を、受信した無線ＬＡＮアクセスポイント位置情報及び情報漏洩リスク有無情報で更新する（図１８のＳ３８）。
【００９９】
以上のようにして、通話管理サーバ６０の通話端末管理テーブル６０３４（図１４）には、各通話端末１０および携帯通話端末１１における最新（現在）の位置情報及び情報漏洩リスク有無情報が保持される。
【０１００】
次に、複数の通話端末１０や携帯通話端末１１の間でテレビ会議を実施する場合の動作について説明する。
【０１０１】
図２６は、複数の通話端末１０や携帯通話端末１１の間でテレビ会議を開始するまでの動作概要を示したシーケンス図である。なお、図２６では、便宜上、通話端末１０を通信元、携帯通話端末１１を通信先とするが、携帯通話端末１１が通信元、通話端末１０が通信先でもよい。また、図２６では、通信先端末は一つの携帯通話端末１１しか示されていないが、一般には複数の通話端末１０や携帯通話端末１１が通信先端末となる。
【０１０２】
通信元の通話端末１０は、テレビ会議の開始に先立って、電源オンの受け付けを契機として（Ｓ４１）、ログイン要求部１００６にて、ネットワーク送受信部１００４を介し、通話管理サーバ６０に対してログイン要求情報を送信する（Ｓ４２）。このログイン要求情報には、該通信元（要求元）の通話端末１０の通話端末情報（端末ＩＤ）とパスワードが含まれている。
【０１０３】
通話管理サーバ６０は、通話端末１０からログイン要求情報を受信すると、通話端末認証管理テーブル６０３２（図１３）を参照して、該通話端末１０の認証処理を実施し（Ｓ４３）、ネットワーク送受信部６００１を介して、認証結果を該通話端末１０へ返送する（Ｓ４４）。具体的には、通話管理サーバ６０の通話端末認証部６００４は、通話端末１０から受信された通話端末情報とパスワードが、通話端末認証管理テーブル６０３２（図１３）に登録されていれば、正当な利用権限を有する通話端末１０からのログイン要求であると判断される。この場合、通話管理サーバ６０は、通話端末１０に対して、ログイン要求が許可された旨の認証結果を返送する。
【０１０４】
通話端末１０は、ログイン要求が許可された旨の認証結果を受信すると、ネットワーク送受信部１００８を介し、通話管理サーバ６０に対して、通信先の宛先リストを要求する旨が示された宛先リスト要求情報を送信する（Ｓ４５）。
【０１０５】
通話管理サーバ６０は、通話端末１０から宛先リスト要求情報を受信すると、通話端末管理テーブル６０３４（図１４）と宛先リスト管理テーブル６０３６（図１５）を参照して、該通話端末１０の通信先の宛先リスト情報を作成する（Ｓ４６）。詳しくは、通話管理サーバ６０の宛先リスト作成部６００５は、まず、通話端末１０の通話端末情報を検索キーとして、宛先リスト管理テーブル６０３６（図１５）を検索して、該通話端末１０の通話端末情報（要求元通信端末情報）に対応する宛先通話端末情報のリストを抽出する。次に、この抽出した各宛先通話端末情報を検索キーとして、通話端末管理テーブル６０３４（図１４）を検索して各宛先通話端末（通信先通話端末）の端末名、稼動状態情報、位置情報、情報漏洩リスク有無情報及びＩＰアドレス等を取得し、宛先リスト情報を作成する。
【０１０６】
通話管理サーバ６０は、作成した宛先リスト情報を要求元の通話端末１０へ送信する（Ｓ４７）。この宛先リスト情報は、要求元の通話端末１０に対応する各宛先通話端末（通信先通話端末）の「端末名、稼動状態情報、位置情報、情報漏洩リスク有無情報、ＩＰアドレス」等で構成されている。
【０１０７】
通話端末１０は、通話管理サーバ６０から宛先リスト情報を受信すると、表示用宛先リスト作成部１０１０にて、該宛先リスト情報から表示用宛先リスト情報を作成する（Ｓ４８）。詳しくは、宛先リスト情報中の「稼動状態情報」の表示は、稼動状態情報アイコン管理テーブル１０３２（図４）を参照して、対応する稼動状態アイコンを割り当てる。また、宛先リスト情報中の「位置情報」の表示は、情報漏洩リスク有無情報をもとに、情報漏洩リスク無しの場合は通常表示を割り当て、情報漏洩リスク有りの場合は網掛け表示を割り当てる。これは一例であり、例えば情報漏洩リスクなしの場合は青色表示を割り当て、情報漏洩リスク有りの場合は赤色表示を割り当てることでもよい。なお、位置情報の表示を、情報漏洩リスク有無情報に応じてどのようにするかは、あらかじめ定めておけばよい。
【０１０８】
次に、通話端末１０は、表示制御部１０１１にて、作成された表示用宛先リスト情報をもとに、宛先リストの一覧をディスプレイ１５０に表示する（Ｓ４９）。通話端末１０の利用者は、表示された宛先リストの一覧から、セキュリティ上、問題のなさそうな宛先通話端末を選択する（Ｓ５０）。ここでは、利用者は携帯通話端末１１を選択したとする。すると、通話端末１０は、通話管理サーバ６０を介して、携帯通話端末１１へ会議開始要求を送信し（Ｓ５１）、携帯通話端末１１は、同じく通話管理サーバ６０を介して、通話端末１０へ応答を返送する（Ｓ５２）。その後、通話端末１０と携帯通話端末１１の間で、テレビ会議が開始される（Ｓ５３）。
【０１０９】
図２７は、通話端末１０のディスプレイ１５０上の宛先リスト一覧の表示例を示した図である。図２７において、１５１は稼動状態アイコン、１５２は端末名、１５３は位置情報、１５４はスクロールバーである。稼動状態アイコン１５１の意味は、図５の稼動状態アイコン管理テーブル１０３２に示した通りである。また、位置情報１５３で網掛け表示されているものは、情報漏洩の可能性が高いことが意味している。
【０１１０】
図２７の表示例の場合、現在、通信元の通話端末１０と通話可能な端末は、モバイル端末（営業部  鈴木）、モバイル端末（営業部  山本）、モバイル端末（営業部  共有）であるが、この内、モバイル端末（営業部  山本）とモバイル端末（営業部  共有）は、情報漏洩の可能性が高い。そこで、通信端末１０の利用者は、これらモバイル端末は除外し、モバイル端末（営業部  鈴木）を選択するようにすれば、情報漏洩の心配なしにテレビ会議を開始することができる。
【０１１１】
また、スクロールバー１５４を操作すれば、更に別の宛先リストが表示されるので、同様にして、現在、通話可能な端末の中から情報漏洩の心配のない通話端末を選択することができる。
【０１１２】
図２８は、宛先リスト一覧の別の表示例を示した図である。これは、通信元の通話端末が携帯通話端末の場合の表示例である。符号１５１〜１５４の意味は、図２７と同じである。図２８の例では、当該携帯通話端末の利用者は、東京事業所ＡＢ端末を選択することで、該ＡＢ端末の利用者と情報漏洩の心配なしにテレビ会議を開始することができる。
【０１１３】
以上、本発明の実施形態を説明したが、通信先候補の通話端末１０や携帯通話端末１１の利用者が情報漏洩される可能性のエリアにいるときに、エリアマップを表示して近くの情報漏洩されないエリアを通知することで、該利用者を情報漏洩されないエリアに誘導得することが可能である。図２９に、通信先候補としての携帯通話端末１１のエリアマップの表示例を示す。符号１５５はエリア探索ボタンである。
【０１１４】
携帯通話端末１１の利用者は、テレビ会議をするにはセキュリティ上、相応しくない場所にいる時、エリア探索ボタン１５５を押下する。すると、携帯通話端末１１は、位置情報サーバ５０へエリアマップ要求を送信する。この時、携帯通話端末１１は、ＧＰＳ情報を一緒に位置情報サーバ５０へ送信する。位置情報サーバ５０は、当該携帯通話端末１１の位置に応じてエリアマップを携帯通話端末１１へ返送する。例えば、携帯通話端末１１の位置が東京事業所である場合には、東京事業所エリアマップを返送する。携帯通話端末１１は、位置情報サーバ５０から送られたエリアマップを表示する（図２９）。携帯通話端末１１は、表示されたエリアマップを見て、セキュリティ上、問題のないエリアに行くことで、テレビ会議に参加することが可能になる。
【符号の説明】
【０１１５】
１０    通話端末（コミュニケーション端末）
１１    携帯通話端末（コミュニケーション端末）
２０    Bluetooth端末
３０    無線ＬＡＮアクセスポイント
５０    位置情報サーバ
６０    通話管理サーバ
７０    インターネット（通信ネットワーク）
８０    ＧＰＳ衛星
１００１  Bluetooth情報送受信部
１００４  ネットワーク送受信部
１０１０  表示用宛先リスト作成部
１０１１  表示制御部
１０３２  稼動状態アイコン管理テーブル
５００１  ネットワーク送受信部
５００２  位置情報処理部
５０３２  Bluetooth端末／位置対応テーブル
５０３４  無線ＬＡＮアクセスポイント／位置対応テーブル
５０３６  通話端末位置情報テーブル
５０３８  地図情報データベース
６００１  ネットワーク送受信部
６００２  稼動状態更新処理部
６００３  位置情報更新処理部
６００５  宛先リスト作成部
６０３４  通話端末管理テーブル
６０３６  宛先リスト管理テーブル
【先行技術文献】
【特許文献】
【０１１６】
【特許文献１】特開２００８−１３１４１２号公報
【図１】
0005880293.tif 000002
【図２】
0005880293.tif 000003
【図３】
0005880293.tif 000004
【図４】
0005880293.tif 000005
【図５】
0005880293.tif 000006
【図６】
0005880293.tif 000007
【図７】
0005880293.tif 000008
【図８】
0005880293.tif 000009
【図９】
0005880293.tif 000010
【図１０】
0005880293.tif 000011
【図１１】
0005880293.tif 000012
【図１２】
0005880293.tif 000013
【図１３】
0005880293.tif 000014
【図１４】
0005880293.tif 000015
【図１５】
0005880293.tif 000016
【図１６】
0005880293.tif 000017
【図１７】
0005880293.tif 000018
【図１８】
0005880293.tif 000019
【図１９】
0005880293.tif 000020
【図２０】
0005880293.tif 000021
【図２１】
0005880293.tif 000022
【図２２】
0005880293.tif 000023
【図２３】
0005880293.tif 000024
【図２４】
0005880293.tif 000025
【図２５】
0005880293.tif 000026
【図２６】
0005880293.tif 000027
【図２７】
0005880293.tif 000028
【図２８】
0005880293.tif 000029
【図２９】
0005880293.tif 000030